(57)【要約】【課題】  操作性の向上を図る。【解決手段】  車両のウインドを駆動源の動力により開閉するための操作子３を有すると共に、その操作子３を操作する指先が入るスペース１１を有するものにおいて、そのスペース１１に光を投射して照明するようにした。これにより、使用者は操作子３の指懸け部３ａを一見して認識でき、手探りで探し当てる必要がなくなるので、操作性を良くすることができる。加えて、スペース１１が照明されることにより、スイッチ装置の質感も良くすることができる。【選択図】  図１
2006202634.tif 000002
【特許請求の範囲】
【請求項１】
車両のウインドを駆動源の動力により開閉するための操作子を有すると共に、その操作子を操作する指先が入るスペースを有するものにおいて、
その指先が入るスペースに光を投射して照明するようにしたことを特徴とする車両用パワーウインドスイッチ装置。
【請求項２】
指先が入るスペースに、操作子の内部から光を投射するようにしたことを特徴とする請求項１記載の車両用パワーウインドスイッチ装置。
【請求項３】
操作子が光インジケータを有し、指先が入るスペースに光を投射する光源が、前記光インジケータを照明する光源と共用であることを特徴とする請求項１記載の車両用パワーウインドスイッチ装置。
【請求項４】
指先が入るスペースに投射された光の投射先に、光反射部を有することを特徴とする請求項１記載の車両用パワーウインドスイッチ装置。
【請求項５】
指先が入るスペースに投射された光の投射先にスクリーンを有し、このスクリーンに、指先が入るスペースに投射する光による映像を映し出すようにしたことを特徴とする請求項１記載の車両用パワーウインドスイッチ装置。
【発明の詳細な説明】
【技術分野】
【０００１】
本発明は、車両のウインドを駆動源の動力により開閉するための操作子を有すると共に、その操作子を操作する指先が入るスペースを有する車両用パワーウインドスイッチ装置に関する。
【背景技術】
【０００２】
従来より、車両、特に自動車においては、ウインドを駆動源の動力により開閉するための操作子を有すると共に、その操作子を操作する指先が入るスペースを有するものが一般的に供されている。
図９は、そのものの従来構造を示しており、ベース１に支持部２が隆起形成され、この支持部２に、操作子３が軸部４によって上下回動可能に支持されている。又、支持部２には、例えば透明の樹脂から成る光ガイド５が挿設されている。
【０００３】
ベース１の下方には、インシュレータ６が配設されており、このインシュレータ６に、上記光ガイド５の直下に位置して、光源たるランプ７が実装されている。このほか、インシュレータ６には、図示しないが、固定コンタクトが設けられており、操作子３の回動操作に応動するコンタクトホルダに装着された可動コンタクトが、その固定コンタクトに接離して、車両のウインドを開閉する動力を発する駆動源たるモータをコントロールするようになっている。
【０００４】
そして又、ベース１の上方には、パネル８が被設されており、このパネル８には、操作子３の表面部を露出させる孔９が形成されると共に、その前方（図で左側）に位置して凹部１０が形成され、この凹部１０内が操作子３を操作する使用者の指先が入るスペース１１となっている。
【０００５】
しかして、操作子３には、スペース１１側の前上縁部に指懸け部３ａが突出形成されており、ここに使用者が指先を懸けて操作子３を引き上げ操作するようになっている。従って、スペース１１は使用者が指先にて操作子３を引き上げる操作をするワークスペースとなっている。更に、操作子３には、上部に透光樹脂から成る光インジケータ１２が設けられており、これを前記ランプ７が矢印Ａで示すように光ガイド５を通じて操作子３の内部から照明することにより、操作子３の存在位置を使用者に知らしめるようになっている。
【発明の開示】
【発明が解決しようとする課題】
【０００６】
上記従来のものの場合、操作子３を操作、特に引き上げ操作するときには、光インジケータ１２が操作子３の存在位置を使用者に知らしめているとはいうものの、使用者が指先を掛ける操作子３の指懸け部３ａを手探りで探し当てる必要があり、操作性が良くなかった。
【０００７】
本発明は上述の事情に鑑みてなされたものであり、従ってその目的は、操作子を操作するについての、操作性の向上を図り得る車両用パワーウインドスイッチ装置を提供するにある。
【課題を解決するための手段】
【０００８】
上記目的を達成するために、本発明の車両用パワーウインドスイッチ装置は、車両のウインドを駆動源の動力により開閉するための操作子を有すると共に、その操作子を操作する指先が入るスペースを有するものにおいて、その指先が入るスペースに光を投射して照明するようにしたことを特徴とする。
【発明の効果】
【０００９】
上記手段によれば、指先が入るスペースが照明されることにより、使用者は操作子の指懸け部を一見して認識でき、手探りで探し当てる必要がなくなるので、操作性を良くすることができる。加えて、指先が入るスペースが照明されることにより、スイッチ装置の質感も良くすることができる。
【発明を実施するための最良の形態】
【００１０】
以下、本発明の第１実施例（第１の実施形態）につき、図１図及び図２を参照して説明する。
まず、図１には、先の図９と同一の部分に同一の符号を付して示しており、以下、それと異なる部分のみを述べる。すなわち、操作子３には、指懸け部３ａの直下であって、スペース１１に臨む前部のほゞ中央部に、透光部２１を設けている。この透光部２１は、透明材であっても良いが、この場合、光拡散材入りで半透明の材料（例えば磨りガラス風の樹脂）により形成しており、前面が窪んだ凹レンズとなっている。
【００１１】
又、それに合わせて、ベース１の支持部２には、前述の光ガイド５に代えて、光ガイド２２を挿設している。この光ガイド２２は、材料は前述の光ガイド５と同じ例えば透明の樹脂から成るものであるが、前述の光ガイド５が直棒状のものであったのに対して、先端が透光部２１に臨むＬ字形棒状のものであり、その上部の角部には斜面２２ａを有している。
【００１２】
これにより、ランプ７の発した光を、斜面２２ａから矢印Ｂで示すように一部出させることにより、操作子３の内部から光インジケータ１２に到達させてそれを照明すると共に、斜面２２ａで屈折させて上記先端から矢印Ｃで示すように出させることにより、操作子３の内部から透光部２１を通じてスペース１１に投射するようになっている。従って、この場合、スペース１１に光を投射する光源と光インジケータ１２を照明する光源は、ランプ７で共用である。又、ランプ７は、車両のメイン電源投入によって点灯するようになっている。
【００１３】
そして、スペース１１に投射された光の投射先であるパネル８の凹部１０内前面には、図２にも示すように、光反射部２３を設けている。この光反射部２３は、この場合、パネル８とは別体の鏡体など光反射プレートから成るもので、それをパネル８の凹部１０内前面に貼着又はインサートモールドして設けている。
なお、図２に示すように、操作子３は複数存在しており、その一つ一つについて、上述のランプ７、光ガイド２２、透光部２１、光反射部２３の構成を施している。又、スペース１１は、複数の操作子３について、共通に存在している。
【００１４】
このように本構成のものでは、ランプ７の発した光を、光ガイド２２から透光部２１を通じて、操作子３を操作する使用者の指先が入るスペース１１に投射するもので、それにより、そのスペース１１が照明される。これにより、使用者は操作子３の指懸け部３ａを一見して認識でき、従来のもののような手探りで探し当てる必要がなくなるので、操作性を良くすることができる。加えて、指先が入るスペース１１が照明されることにより、スイッチ装置の質感も良くすることができる。
【００１５】
特に本構成のものの場合、透光部２１には光拡散材入りで半透明の材料を使用しているので、光が拡散されてスペース１１に投射されることにより、スペース１１を広く柔らかに照明するので、使用者の印象を良くし得、質感も一層良くすることができる。しかも、透光部２１は凹レンズとなっているため、光の拡散をより広くできる。
加えて、特に本構成のものの場合、上記スペース１１には、操作子３の内部から光を投射するようにしており、これによって、パネル８の側面などから光を投射する構想のものに比して、光の投射元を分かりにくくできて、質感を一層良くすることができる。
【００１６】
又、本構成のものの場合、操作子３が光インジケータ１２を有していて、スペース１１に光を投射する光源を、ランプ７で、光インジケータ１２を照明する光源と共用としており、これによって、光源の使用数量を少なく留め得て、コストの上昇を抑制できる。
そして、スペース１１に投射された光の投射先には光反射部２３を設けており、それによる光の反射で、使用者の認識をより確実にし、操作性を一段と良くすることができると共に、質感も更に一層良くすることができる。
【００１７】
以上に対して、図３ないし図８は本発明の第２ないし第６実施例（第２ないし第６の実施形態）を示すもので、それぞれ、第１実施例と同一の部分には同一の符号を付して説明を省略し、異なる部分についてのみ述べる。
［第２実施例］
図３に示す第２実施例においては、前述の凹レンズ状の透光部２１に代えて、凸レンズ状の透光部３１を用いている。これにより、スペース１１に光を集束して投射することができる。
【００１８】
［第３実施例］
図４に示す第３実施例においては、前述の凹レンズ状の透光部２１に代えて、前面を多面状にカット（例えばダイヤカット）した透光部４１を用いている。これにより、スペース１１に光を多面方向に拡散して投射することができる。
［第４実施例］
図５に示す第４実施例においては、前述の凹レンズ状の透光部２１に代えて、前面及び後面の両面が平直面状の透光部５１を用いている。これにより、スペース１１に光をストレートに投射することができる。
【００１９】
［第５実施例］
図６及び図７に示す第５実施例においては、第２実施例の凸レンズ状の透光部３１の前面に車両のマークなど何らかの標章が記されたシート６１を貼着すると共に、パネル８の凹部１０内前面に、前述の光反射部２３に代えて、スクリーン６２を設け、このスクリーン６２に、スペース１１に投射する光による、シート６１に記した標章の映像Ｅを映し出すようにしている。これにより、質感を良くすることができる。
【００２０】
［第６実施例］
図８に示す第６実施例においては、車両のウインドが前側の左右と後側の左右とで計４枚あるのに対して、操作子３は２つのみとして、ほかに例えば前後スライド式の切替操作部材７１を設け、この切替操作部材７１により、２つの操作子３で開閉操作ができる前後のウインドの切り替えをするようにしている。
【００２１】
具体的には、切替操作部材７１を前方に操作したときには、前側の左右のウインドを２つの操作子３でそれぞれに開閉操作でき、後方に操作したときには、後側の左右のウインドを２つの操作子３でそれぞれに開閉操作できるようにしている。なお、操作した切替操作部材７１はその位置に留まって、その後に使用者により戻し操作されるものであっても良いし、自動で操作前の位置に復帰するものであっても良い。
こうしたものにおいて、切替操作部材７１の操作による切替状況（前後いずれのウインドが開閉操作できるか）を、スペース１１に投射する光の色を例えば赤と緑などに異ならせて表示するようにする。
【００２２】
更に、それとは異なるものとして、例えば特開２００４−１６９５２９号公報に記載されている、車両の全ウインドの開閉操作を１つのマスタースイッチにより選択して行うものにおいて、その選択状況を、スペース１１に投射する光の色を異ならせて表示するようにしても良いし、その選択後、所定時間が経過した時点で初期化がされる（例えば運転席以外の席のウインドの開閉操作ができるようにした状況から、運転席のウインドの開閉操作ができるように戻す）ものでは、その初期化されたことをスペース１１に投射する光の色で表示するようにしても良い。
【００２３】
そのほか、スペース１１に投射する光の色でウインドの開閉状況を表示するようにしても良いなど、本発明は上記し且つ図面に示した実施例にのみ限定されるものではなく、要旨を逸脱しない範囲内で適宜変更して実施し得る。
【図面の簡単な説明】
【００２４】
【図１】本発明の第１実施例を示す主要部分の縦断側面図
【図２】主要部分の斜視図
【図３】本発明の第２実施例を示す図１部分相当図
【図４】本発明の第３実施例を示す図１部分相当図
【図５】本発明の第４実施例を示す図１部分相当図
【図６】本発明の第５実施例を示す図１部分相当図
【図７】図２相当図
【図８】本発明の第６実施例を示す平面図
【図９】従来例を示す図１相当図
【符号の説明】
【００２５】
図面中、３は操作子、７はランプ（光源）、１１はスペース、１２は光インジケータ、２３は光反射部、６２はスクリーン、Ｅは映像を示す。
【図１】
2006202634.tif 000003
【図２】
2006202634.tif 000004
【図３】
2006202634.tif 000005
【図４】
2006202634.tif 000006
【図５】
2006202634.tif 000007
【図６】
2006202634.tif 000008
【図７】
2006202634.tif 000009
【図８】
2006202634.tif 000010
【図９】
2006202634.tif 000011